(57)【要約】  ＩＴＳ用無線の周波数と無線ＬＡＮの周波数とでアンテナ２ａ，２ｂで無線通信を行う周波数を切り替える無線部３ａ，３ｂと、車両が駐車したか否かを判定する駐車判定部６と、駐車判定部６により車両が駐車したと判定された位置を駐車位置として記憶する駐車位置記憶部６ａと、無線部３ａ，３ｂを制御して、車両が走行している場合、アンテナ２ａ，２ｂでＩＴＳ用無線を行い、車両が駐車している場合は、駐車位置記憶部６ａに記憶された駐車位置に応じて、アンテナ２ａ，２ｂでＩＴＳ用無線を行うか無線ＬＡＮを行うかを切り替える無線制御部４とを備える。
2013124904.tif 000002
【特許請求の範囲】
【請求項１】
車両専用の周波数帯域を使用する車両用の無線通信と汎用の無線通信に対応するアンテナと、
前記車両用の無線通信の周波数と前記汎用の無線通信の周波数で前記アンテナで無線通信を行う周波数を切り替える無線部と、
前記車両が駐車したか否かを判定する駐車判定部と、
前記駐車判定部により前記車両が駐車したと判定されたときの車両位置を駐車位置として記憶する記憶部と、
前記無線部を制御して、前記車両が走行している場合、前記アンテナで車両用の無線通信を行い、前記車両が駐車している場合は、前記記憶部に記憶された駐車位置に応じて、前記アンテナで前記車両用の無線通信を行うか前記汎用の無線通信を行うかを切り替える無線制御部とを備える車載通信装置。
【請求項２】
前記車両用の無線通信は、ＩＴＳ（Ｉｎｔｅｌｌｉｇｅｎｔ  Ｔｒａｎｓｐｏｒｔ  Ｓｙｓｔｅｍｓ）用の無線通信であり、
前記汎用の無線通信は、無線ＬＡＮ（Ｌｏｃａｌ  Ａｒｅａ  Ｎｅｔｗｏｒｋ）であることを特徴とする請求項１記載の車載通信装置。
【請求項３】
前記アンテナと前記無線部の組を複数備え、
前記無線制御部は、前記車両が駐車している場合であっても、前記汎用の無線通信が可能で、かつ道路上に駐車している場合には、前記各無線部を制御して、前記アンテナで前記車両用の無線通信と前記汎用の無線通信を同時に行うことを特徴とする請求項１記載の車載通信装置。
【請求項４】
前記車両が駐車してからの経過時間を計時するタイマを備え、
前記無線制御部は、前記タイマにより計時される経過時間が所定時間に達するまでは、所定の周期で前記アンテナで前記車両用の無線通信を行うことを特徴とする請求項１記載の車載通信装置。
【請求項５】
前記無線制御部は、自装置外の通信元の装置の電源がオフされたことにより、当該装置から前記車両用の無線通信の送信データが得られなくなった場合に、前記記憶部に記憶した駐車位置を現在の車両位置とし、当該現在の車両位置と前記タイマによって計時された現在時刻とを送信データとして前記アンテナで前記車両用の無線通信を行うことを特徴とする請求項４記載の車載通信装置。
【請求項６】
車両専用の周波数帯域を使用する車両用の無線通信と汎用の無線通信に対応するアンテナと、
前記車両用の無線通信の周波数と前記汎用の無線通信の周波数で前記アンテナで無線通信を行う周波数を切り替える無線部と、
前記車両が駐車したか否かおよびその駐車場所を判定する駐車判定部と、
前記駐車判定部により前記車両が駐車したと判定されたときの車両位置を駐車位置として記憶する記憶部と、
前記車両位置を計測する位置計測部と、
前記位置計測部により計測された自車位置および地図データに基づいてナビゲーション処理を行うナビ機能部と、
前記無線部を制御して、前記車両が走行している場合は、前記アンテナで車両用の無線通信を行い、前記駐車判定部により前記車両が道路上に駐車していると判定された場合、前記アンテナで前記車両用の無線通信を継続し、前記汎用の無線通信が可能なあらかじめ指定した駐車場所に当該車両が駐車していると判定されると、前記汎用の無線通信に切り替える無線制御部とを備えるナビゲーション装置。
【請求項７】
前記車両用の無線通信は、ＩＴＳ（Ｉｎｔｅｌｌｉｇｅｎｔ  Ｔｒａｎｓｐｏｒｔ  Ｓｙｓｔｅｍｓ）用の無線通信であり、
前記汎用の無線通信は、無線ＬＡＮ（Ｌｏｃａｌ  Ａｒｅａ  Ｎｅｔｗｏｒｋ）であることを特徴とする請求項６記載のナビゲーション装置。
【請求項８】
前記ナビ機能部は、前記記憶部に記憶された駐車位置を前記地図データと照合することにより、前記車両の駐車場所を判別し、
前記駐車判定部は、前記ナビ機能部による判別結果から、前記車両が道路上に駐車しているか、前記汎用の無線通信が可能なあらかじめ指定した駐車場所に駐車しているかを判定することを特徴とする請求項６記載のナビゲーション装置。
【請求項９】
車外を撮影した画像から道路上の白線を画像認識する撮影部を備え、
前記駐車判定部は、前記撮影部により道路上の白線が画像認識された場合、前記車両が道路上に駐車していると判定することを特徴とする請求項６記載のナビゲーション装置。
【請求項１０】
車外の走行車両を検出する車両センサを備え、
前記駐車判定部は、前記車両センサにより道路上の走行車両が検出された場合に、前記車両が道路上に駐車していると判定することを特徴とする請求項６記載のナビゲーション装置。
【請求項１１】
前記車両の乗員に情報を提示する提示部と、
前記無線制御部に対して、前記アンテナで車両用の無線通信を行うか汎用の無線通信を行うかの切り替えを指示する操作部とを備え、
前記無線制御部は、前記駐車判定部により当該車両が道路上に駐車していると判定された場合に、前記操作部により前記汎用の無線通信への切り替え指示があると、前記提示部を介して警告情報を前記乗員に提示することを特徴とする請求項６記載のナビゲーション装置。
【請求項１２】
前記無線制御部は、前記アンテナで前記汎用の無線通信の途中であっても、前記車両の走行が開始されると、前記車両用の無線通信に切り替えることを特徴とする請求項６記載のナビゲーション装置。
【発明の詳細な説明】
【技術分野】
【０００１】
この発明は、ＩＴＳ（Ｉｎｔｅｌｌｉｇｅｎｔ  Ｔｒａｎｓｐｏｒｔ  Ｓｙｓｔｅｍｓ）用無線などの車両専用の周波数帯域を使用する車両用の無線通信と、無線ＬＡＮ（Ｌｏｃａｌ  Ａｒｅａ  Ｎｅｔｗｏｒｋ）などの汎用の無線通信を行うことができる車載通信装置およびナビゲーション装置に関する。
【背景技術】
【０００２】
ＩＴＳのアプリケーションとして、例えば、車車間で通信を行い、自車両の車両位置、速度などを送信し、他車両が搭載する通信装置から当該他車の位置、速度などを受信することによって互いの位置関係を確認し、この位置関係から互いの車両が衝突する可能性があると、ドライバーに対して注意を喚起する衝突防止システムが開発されている。
また、路車間で通信を行い、路側通信装置から受信した信号情報に基づいて、赤信号で適切に自車両が減速されていないことが判定された場合、ドライバーに対して注意を喚起する信号見落とし防止システムが開発されている。【０００３】
一方、例えば特許文献１には、車両が走行中であるか停止中であるかに応じて、自車両の走行状態に関する情報が格納されたパケット信号の送信を制御する無線装置が開示されている。この無線装置では、自車両が走行中であれば上記パケット信号の送信を継続し、自車両が駐車している場合は、走行車両に対する安全支援が不要であるものとして、上記パケット信号の送信を停止する。このようにすることで、安全支援システムに利用される上記パケット信号の衝突確率を低減している。
【先行技術文献】
【特許文献】
【０００４】
【特許文献１】特開２０１１−９１７９５号公報
【発明の概要】
【発明が解決しようとする課題】
【０００５】
上述したような安全支援システムでは、車載通信装置が、車両専用の周波数帯域を使用する無線通信を介して安全支援に必要な情報をやり取りしている。ここでは、この無線通信をＩＴＳ用無線と呼ぶ。車両専用の周波数帯域としては、５．９ＧＨｚ帯域を使用するＩＴＳ用無線の無線規格が欧米で検討されている。
一方、無線ＬＡＮは、汎用無線通信として一般に広く普及しており、使用される周波数として２，４ＧＨｚ帯域と５ＧＨｚ帯域がある。また、無線ＬＡＮの通信ポイントとしては、一般家庭のアクセスポイントや、ホットスポットと呼ばれる公共の通信接続ポイントも整備されている。【０００６】
ＩＴＳ用無線の周波数帯域は、５ＧＨｚ帯域用の無線ＬＡＮと使用周波数帯域が近く、ＩＴＳ用無線と無線ＬＡＮでは通信方法も類似することから、容易に同じ無線通信系統でＩＴＳ用無線と無線ＬＡＮを切り替えて使用することができる。
しかしながら、この無線通信装置では、自車両が走行中であるか否かおよび駐車位置（駐車場所）に応じてＩＴＳ用無線と無線ＬＡＮを適切に切り替えなければならない。【０００７】
例えば、自車両が走行している場合には、車車間、路車間でＩＴＳ用無線を行うことにより、安全支援に利用される情報をやり取りする必要がある。また、自車両が駐車場などの安全な場所に駐車している場合は、ＩＴＳ用無線から無線ＬＡＮに切り替えても問題がない。ただし、自車両が駐車していても、駐車場所が道路上（路側）であると、ＩＴＳ用無線が停止されると、道路上を走行する他車両に対して自車両の位置情報を送信できず、追突などを防止する安全支援システムが適切に機能しない状態となる。【０００８】
このように、車載通信装置において、ＩＴＳ用無線と無線ＬＡＮを切り替えて使用する場合、自車両が走行中であるか否か、自車両の駐車位置（駐車場所）に応じて、両無線を適切に切り替えなければならない。このため、ＩＴＳ用無線を不適切に停止して安全支援に必要な情報のやり取りができず、安全支援システムのサービスが受けられない可能性がある。また、無線ＬＡＮを使用する場合には、ユーザが、どのような状況で使用するのが適切であるかをその都度考えなければならず、両無線の切り替えが可能な車載通信装置の利便性が損なわれ、ひいては当該車載通信装置の利用が敬遠される要因になるという課題があった。【０００９】
特許文献１に代表される従来の技術では、車両が走行中であるか停止中であるかに応じて、自車両の走行状態に関する情報が格納されたパケット信号の送信を制御しているが、ＩＴＳ用無線と無線ＬＡＮを切り替えることが考慮されていないため、無線ＬＡＮなどの汎用無線通信をどのような状況で使用すべきかを判断することができない。【００１０】
この発明は、上記のような課題を解決するためになされたもので、車両専用の周波数帯域を使用する車両用の無線通信と、汎用の無線通信とを適切に切り替えて利用することができる車載通信装置およびナビゲーション装置を得ることを目的とする。
【課題を解決するための手段】
【００１１】
この発明に係る車載通信装置は、車両専用の周波数帯域を使用する車両用の無線通信と汎用の無線通信に対応するアンテナと、車両用の無線通信の周波数と汎用の無線通信の周波数でアンテナで無線通信を行う周波数を切り替える無線部と、車両が駐車したか否かを判定する駐車判定部と、駐車判定部により車両が駐車したと判定されたときの車両位置を駐車位置として記憶する記憶部と、無線部を制御して、車両が走行している場合、アンテナで車両用の無線通信を行い、車両が駐車している場合は、記憶部に記憶された駐車位置に応じて、アンテナで車両用の無線通信を行うか汎用の無線通信を行うかを切り替える無線制御部とを備える。
【発明の効果】
【００１２】
この発明によれば、車両専用の周波数帯域を使用する車両用の無線通信と、汎用の無線通信とを適切に切り替えて利用することができるという効果がある。
【図面の簡単な説明】
【００１３】
【図１】この発明の実施の形態１に係る車載通信装置の構成を示すブロック図である。
【図２】実施の形態１に係る車両の状態とこれに対応する通信切り替えの判断条件とを示す図である。
【図３】様々な状態の車両における無線通信エリアを示す図である。
【図４】この発明の実施の形態２に係るナビゲーション装置の構成を示すブロック図である。
【図５】実施の形態２に係る車両の状態とこれに対応する通信切り替えの判断条件とを示す図である。
【発明を実施するための形態】
【００１４】
以下、この発明をより詳細に説明するため、この発明を実施するための形態について、添付の図面に従って説明する。
実施の形態１．
図１は、この発明の実施の形態１に係る車載通信装置の構成を示すブロック図であり、アンテナ２ａと無線部３ａおよびアンテナ２ｂと無線部３ｂといった２つの無線通信系統を有し、同時に２チャンネルの通信が可能な車載通信装置を示している。
図１に示す車載通信装置１は、アンテナ２ａ，２ｂ、無線部３ａ，３ｂ、無線制御部４、操作部４ａ、位置計測部５、駐車判定部６、電源装置７およびタイマ８を備える。
アンテナ２ａは、車両専用の周波数帯域を使用する車両用無線通信であるＩＴＳ用無線と、汎用無線通信である無線ＬＡＮとをそれぞれの周波数を利用できるアンテナである。また、アンテナ２ｂについても、双方の無線通信の周波数を利用可能である。
【００１５】
無線部３ａ，３ｂは、アンテナ２ａ，２ｂにより送信する信号を増幅する送信ＡＭＰ、アンテナ２ａ，２ｂにより受信された信号を増幅する受信ＡＭＰ、増幅された信号と局部発振周波数信号を混合して中間周波数（ＩＦ）信号を生成するミキサ、ミキサにより生成されたＩＦ信号の帯域制限等の処理を行うフィルタなどで構成されるＲＦ部である。
【００１６】
無線制御部４は、無線部２ａ，２ｂの動作を制御する制御部であり、ＩＴＳ用無線の無線規格と無線ＬＡＮの無線規格に対応し、周波数、通信周期および変調方法を切り換え、受信データを復調する機能を有する。
ＩＴＳ通信用の受信データと一般通信（無線ＬＡＮ）用の受信データは、無線制御部４から外部機器に出力される。反対に、ＩＴＳ通信用の送信データと一般通信（無線ＬＡＮ）用の送信データは、外部機器から無線制御部４に出力される。
なお、図１では、無線制御部４が２系統の入出力である場合を示したが、イーサネット（登録商標）などの通信を利用して物理的に１つの入出力として構成してもよい。また、外部機器との接続は、有線でも無線であってもよい。
【００１７】
操作部４ａは、操作スイッチに接続しており、操作スイッチにより外部から指定された無線通信（ＩＴＳ用無線および無線ＬＡＮ）に切り替えるよう無線制御部４に通知する。
位置計測部５は、自車両の現在位置を計測する位置計測部であって、例えば、ＧＰＳ（Ｇｌｏｂａｌ  Ｐｏｓｉｔｉｏｎｉｎｇ  Ｓｙｓｔｅｍ）受信機によってＧＰＳ衛星から受信されたＧＰＳ電波を解析して自車の位置情報（緯度経度）と現在時刻を計測する。
【００１８】
駐車判定部６は、車両が駐車したか否かを判定する。例えば、車両の車両制御部から、車速、パーキングブレーキ、ギア位置などの情報を車両情報として入力し、当該車両情報に基づいて、自車両が走行中であるか、駐車中であるかを判定する。自車両が駐車中であると判定すると、駐車判定部６は、位置計測部５により計測されたその時点での自車位置を駐車位置として駐車位置記憶部６ａに記憶する。
なお、車速および自車位置の情報は、ＩＴＳ通信用データにも含まれるので、駐車判定部６は、ＩＴＳ通信用データを利用して駐車判定および駐車位置の特定を行ってもよい。この場合、図１と異なり、駐車判定部６に対する、位置計測部５により計測された位置情報と外部の車両制御部からの車両情報の直接的な入力は省略できる。
駐車位置記憶部６ａは、駐車判定部６により自車両が駐車したと判定されたときの車両位置を駐車位置として記憶する記憶部である。
【００１９】
電源装置７は、車両のイグニッションキーをオフしたときにも常時通電されている車両のバッテリ端子と、イグニッションキーをオンするかアクセサリ位置としたときに通電されているイグニッション（ＩＧ）端子とに接続されて車載通信装置１の内部構成に電源を供給する。なお、イグニッションキーがオンからオフにされても、車載通信装置１には、一定期間、電源が供給されるようになっている。
【００２０】
タイマ８は、電源装置７に接続しており、車両が走行中でイグニッションキーがオンのときは、常にカウントダウンの初期値が設定され、車両が駐車してイグニッションキーをオフしたときからカウントダウンしてゼロになるまでの所定の時間を計時する。この所定の時間だけ、電源装置７は車載通信装置１への電源供給を継続する。このとき、タイマ８は、無線制御部４に対して、イグニッションキーがオンからオフになってから所定の時間内であることを通知する。
【００２１】
図１のように、車載通信装置１は、アンテナ２ａ，２ｂおよび無線部３ａ，３ｂからなる２つの無線通信系統を有しており、ＩＴＳ用無線および無線ＬＡＮを２チャンネルの通信を行うモードか、ＩＴＳ用無線と無線ＬＡＮをそれぞれ１チャンネルずつ通信するモードに対応している。もちろん、無線通信系統が１つの場合には、ＩＴＳ用無線および無線ＬＡＮのいずれかに切り替えて通信を行うことになる。
【００２２】
次に動作について説明する。
図２は、実施の形態１に係る車両の状態とこれに対応する通信切り替えの判断条件とを示す図であり、この図２に沿って各状態の車両における通信切り替えの詳細を述べる。
なお、図２に示す車両の状態に対応する通信切り替えの各判断条件は、無線制御部４に設定されている。例えば、図２に示すデータが、無線制御部４によって適宜読み出し可能なメモリ（図１において不図示）に記憶される。
【００２３】
無線制御部４は、駐車判定部６による駐車判定結果、駐車位置記憶部６ａに記憶される駐車位置、およびタイマ８の通知内容に基づいて、イグニッションキーのオンオフ状態、車速、ギア位置、ＧＰＳ位置（車両位置）およびタイマ８のカウント値を判断し、これらの情報から車両の状態およびこれに対応する判断条件を判別する。そして、無線制御部４は、判別した判断条件に対応する無線通信に切り替えるように無線部３ａ，３ｂを制御する（“無線の状態”参照）。
【００２４】
また、図２に示す“番号”は、各判断条件に割り当てた識別番号であり、無線制御部４は、当該番号に基づいて上記メモリから判断条件の内容を読み出して、現在の車両の状態に対応する条件を判別する。
【００２５】
番号１の状態は、駐車判定部６の駐車判定結果および駐車位置記憶部６ａに記憶される駐車位置から、車両が自宅の駐車場に駐車中であり、ＩＧキー（イグニッションキー）がオフなので、エンジンはかかっておらず、車内にドライバーなどの乗員がいない状態である。この状態では、車両のバッテリ上がりを防ぐために、車載通信装置１の電源はオフになっており、通信していない（“無線の状態”が無線オフ）。
【００２６】
番号２の状態は、車両が自宅の駐車場に駐車しているが、ドライバーなどの乗員が車内におり、カーナビゲーションの操作などを行っている状態である。すなわち、車載機器を操作するために、イグニッションキーがオンされてエンジンがかかっているか、イグニッションキーがアクセサリで車載通信装置１の電源がオンしている。
この状態では、無線制御部４は、無線部３ａ，３ｂを制御して、アンテナ２ａ，２ｂで無線ＬＡＮを行うよう切り替える。なお、この場合、自宅駐車場は、無線ＬＡＮが可能なあらかじめ指定された駐車場所であるものとする。つまり、自宅駐車場では、車載通信装置１が、あらかじめ設定された無線ＬＡＮのアクセスポイントと接続する。
【００２７】
無線ＬＡＮの無線規格は、自宅のアクセスポイントに合わせたものである。このアクセスポイントが同時に２つ以上の通信チャンネルを利用できる場合には、車載通信装置１においても、２つの無線部３ａ，３ｂを合わせて利用する高速接続規格の無線ＬＡＮで通信することができる。例えば、自宅のパーソナルコンピュータに接続して、これに保存した音楽および動画のファイルを、これらの再生が可能なカーナビゲーション装置のメモリに高速にダウンロードできる。
【００２８】
番号３の状態は、番号２の状態から、車両が発進して車速がゼロではなくなった状態である。この状態では、車両が走行中となるため、駐車時に行っていた無線ＬＡＮの通信が途中であっても、無線制御部４は、アンテナ２ａ，２ｂで行う無線通信を直ちにＩＴＳ用無線に切り替える（“無線の状態”がＩＴＳ用無線）。
このとき、車載通信装置１は、ＩＴＳ用無線によって自車両の位置、速度などの情報を周辺の車両に車車間通信するとともに、ＩＴＳ用無線による車車間通信で周辺の車両から位置、速度などの情報を受信し、路側の通信機器から信号情報などを受信する。
【００２９】
番号４の状態は、赤信号で車両が停止している状態など、車速はゼロであるが、ギア位置はパーキング以外のニュートラルまたはドライブ位置であり、車両の位置も自宅駐車場以外である。この状態は車両が道路上に停止している状態であることから、無線制御部４は、アンテナ２ａ，２ｂにＩＴＳ用無線を続けさせる。
【００３０】
番号５の状態は、車両が道路上に駐車した直後の状態である。この状態では、イグニッションキーがオフされて車内の電源も停止している。つまり、ＩＴＳ通信用の送信データを車載通信装置１に与える外部機器（車載通信装置１外の通信元の装置）の電源もオフされており、ＩＴＳ用無線の送信データが得られなくなっている。
一方、タイマ８がカウントダウン中であるので、イグニッションキーがオフされても、車載通信装置１には、車両のバッテリからの電源が電源装置７によって供給されており、無線制御部４が、アンテナ２ａ，２ｂを介したＩＴＳ用無線を継続させている。
このとき、無線制御部４は、駐車位置記憶部６ａに記憶した駐車位置を現在の車両位置とし、この車両位置とタイマ８により計時された現在時刻を送信データとして、アンテナ２ａ，２ｂでＩＴＳ用無線を行う。
すなわち、ＩＴＳ用無線によって自車両が駐車した位置と車速がゼロであることを車車間通信で送信し、後続車両などの周辺車両に対して追突の可能性があるか否かを判断させる情報を提供する。なお、この場合、車内のバッテリの消耗を防ぐため、ＩＴＳ用無線の通信周期を０．１〜１０秒程度まで長くして間欠的に動作させる。これにより、車両が駐車してから所定時間だけ供給が継続される電源電力の消費を低減することができる。
【００３１】
番号６の状態は、番号５の状態からさらに時間が経過した状態である。タイマ８によるカウントダウンが終了して、タイマ８のカウント値がゼロになると、車内のバッテリ上がりを防ぐために、電源装置７が電源供給を自動で停止する。
【００３２】
番号７の状態は、車両が、外出先の駐車場など、無線ＬＡＮが可能な場所（ホットスポット）で無線通信を行う場合を示している。また、番号２の状態に近いが、車両が道路上に駐車している状態で無線ＬＡＮを行う場合も考えられるため、自動で無線ＬＡＮに切り替えず、操作スイッチを用いて手動操作で無線ＬＡＮに切り替える。
なお、図１に示すように、無線通信系統が２つ（２チャンネル）ある場合は、一方のチャンネルで無線ＬＡＮを行い、もう一方のチャンネルでＩＴＳ用無線を行うことにより、道路上の車車間通信を継続してもよい。
【００３３】
次に、実施の形態１に係る車載通信装置１における車両の駐車場所と無線通信エリアについて説明する。図３は、様々な状態の車両における無線通信エリアを示す図である。
図３に示す車両１００の状態が、図２で示した番号１，２における自宅駐車場に車両が停止している状態に相当する。自宅１０１の駐車場では、他車両と衝突する可能性が低いので、車載通信装置１では、ＩＴＳ用無線で情報をやり取りする必要がなく、無線ＬＡＮで通信を行えればよい。この場合、自宅１０１に無線ＬＡＮのアクセスポイントがあり、車両１００が自宅１０１の駐車場に駐車すると、車載通信装置１の無線ＬＡＮの無線通信エリア１００ａとアクセスポイントの無線通信エリア１０１ａが重なり、通信接続することができる。そこで、自宅１０１の無線ＬＡＮのアクセスポイントのアクセス番号と自宅１０１の位置を車載通信装置１に登録しておくことにより、車両１００が自宅１０１の駐車場に駐車した時点で、車載通信装置１が、自動で、ＩＴＳ用無線から無線ＬＡＮに切り替える。
【００３４】
また、図３に示す車両１０２の状態が、図２で示した番号５，６，７における道路上に車両が駐車している状態に相当する。図３の例では、車両１０２に搭載された車載通信装置１の無線ＬＡＮまたはＩＴＳ用無線の通信エリア１０２ａが、公衆無線ＬＡＮ（ホットスポット）の通信エリア１０４ａに重なる位置、すなわち公衆無線ＬＡＮと接続が可能な無線通信エリアに車両１０２が停車している。このとき、ドライバーが、操作スイッチを用いて車載通信装置１を無線ＬＡＮに切り替えることにより、インターネット接続が可能である。
【００３５】
ただし、車両１０２が道路１０４上に駐車しているため、車載通信装置１のＩＴＳ用無線を停止させると、後続車両１０３が搭載する車載通信装置１（ＩＴＳ用無線の無線通信エリア１０３ａ）との間でＩＴＳ用無線による車両位置、車速などの情報をやり取りできなくなる。この場合、衝突防止支援などのサービスを受けられない可能性があり、事故の危険性が高まる。そこで、道路１０４上で駐車する場合には、１つのチャンネルでＩＴＳ用無線を行うことが望ましい。
【００３６】
以上のように、この実施の形態１によれば、車両専用の周波数帯域を使用するＩＴＳ用無線と無線ＬＡＮとに対応するアンテナ２ａ，２ｂと、ＩＴＳ用無線の周波数と無線ＬＡＮの周波数とでアンテナ２ａ，２ｂで無線通信を行う周波数を切り替える無線部３ａ，３ｂと、車両が駐車したか否かを判定する駐車判定部６と、駐車判定部６により車両が駐車したと判定されたときの車両位置を駐車位置として記憶する駐車位置記憶部６ａと、無線部３ａ，３ｂを制御して、車両が走行している場合、アンテナ２ａ，２ｂでＩＴＳ用無線を行い、車両が駐車している場合は、駐車位置記憶部６ａに記憶された駐車位置に応じて、アンテナ２ａ，２ｂでＩＴＳ用無線を行うか無線ＬＡＮを行うかを切り替える無線制御部４とを備える。このように構成することにより、ＩＴＳ用無線と無線ＬＡＮとを適切に切り替えて利用することができる。これによって、道路上での停車または駐車の際には、ＩＴＳ用無線が不用意に停止されることがなく、車車間通信を使った追突などの衝突防止システムが有効に働くため、事故の発生確率を低減することができる。
【００３７】
また、この実施の形態１によれば、アンテナ２ａと無線部３ａおよびアンテナ２ｂと無線部３ｂのようにアンテナと無線部の組を複数備え、無線制御部４が、車両が駐車している場合であっても、無線ＬＡＮが可能で、かつ道路上に駐車している場合には、各無線部３ａ，３ｂを制御して、アンテナ２ａ，２ｂでＩＴＳ用無線と無線ＬＡＮを同時に行うので、ＩＴＳ用無線を用いた安全支援サービスを享受しつつ、無線ＬＡＮによる通信が可能であり、車載通信装置１の利便性の向上を図ることができる。
【００３８】
さらに、この実施の形態１によれば、車両が駐車してからの経過時間を計時するタイマ８を備え、無線制御部４が、タイマ８により計時された経過時間が所定時間に達するまでは、所定の周期で、アンテナ２ａ，２ｂでＩＴＳ用無線を行うので、車両が駐車してから所定時間だけ供給が継続される電源電力の消費を低減することができる。
【００３９】
さらに、この実施の形態１によれば、無線制御部４が、自装置１外の通信元の装置の電源がオフされたことにより、当該装置からＩＴＳ用無線の送信データが得られなくなった場合に、駐車位置記憶部６ａに記憶した駐車位置を現在の車両位置とし、当該車両位置とタイマ８により計時された現在時刻とを送信データとしてアンテナ２ａ，２ｂでＩＴＳ用無線を行うので、駐車により車内の電源がオフされ、通信元の装置の動作が停止しても、ＩＴＳ用無線によるデータのやり取りを継続させることができる。
【００４０】
実施の形態２．
図４は、この発明の実施の形態２に係るナビゲーション装置の構成を示すブロック図であり、上記実施の形態１と同様に、アンテナ２ａと無線部３ａおよびアンテナ２ｂと無線部３ｂといった２つの無線通信系統を有し、同時に２チャンネルの通信が可能な車載用のナビゲーション装置を示している。
図４に示すナビゲーション装置１Ａは、アンテナ２ａ，２ｂ、無線部３ａ，３ｂ、無線制御部４Ａ、操作部４ａ、位置計測部５、駐車判定部６Ａ、電源装置７、タイマ８、カーナビ機能部９、車両センサ１０、白線認識カメラ１１、Ｗｅｂブラウザ部１２、ＩＴＳ安全支援処理部１３および表示部１４を備える。
【００４１】
アンテナ２ａは、車両専用の周波数帯域を使用する車両用無線通信であるＩＴＳ用無線と、汎用無線通信である無線ＬＡＮとをそれぞれの周波数を利用できるアンテナである。また、アンテナ２ｂについても、双方の無線通信の周波数を利用可能である。
無線部３ａ，３ｂは、アンテナ２ａ，２ｂにより送信する信号を増幅する送信ＡＭＰ、アンテナ２ａ，２ｂにより受信された信号を増幅する受信ＡＭＰ、増幅された信号と局部発振周波数信号を混合して中間周波数（ＩＦ）信号を生成するミキサ、ミキサにより生成されたＩＦ信号の帯域制限等の処理を行うフィルタなどで構成されるＲＦ部である。
【００４２】
無線制御部４Ａは、無線部２ａ，２ｂの動作を制御する制御部であり、ＩＴＳ用無線の無線規格と無線ＬＡＮの無線規格に対応し、周波数、通信周期および変調方法を切り換え、受信データを復調する機能を有する。
上記実施の形態１と同様に、ＩＴＳ通信用の受信データと一般通信（無線ＬＡＮ）用の受信データは、無線制御部４Ａから外部機器（図４において不図示）に出力される。
反対に、ＩＴＳ通信用の送信データと一般通信（無線ＬＡＮ）用の送信データは、外部機器から無線制御部４Ａに出力される。
なお、図４では無線制御部４Ａが２系統の入出力である場合を示したが、イーサネット（登録商標）などの通信を利用して物理的に１つの入出力として構成してもよい。また、外部機器との接続は有線でも無線であってもよい。
【００４３】
カーナビ機能部９は、位置計測部５が計測した自車位置と地図データに基づいて、地図表示、ルート探索、ルートガイドといったナビゲーション処理を行うナビ機能部である。
なお、カーナビ機能部９では、駐車位置記憶部６ａに記憶されている自車両の駐車位置を地図データと照合することにより、道路上に駐車したのか、自宅の駐車場に駐車したのか、あるいは、その他の駐車場であるかを判別し、その判別結果を駐車判定部６Ａへ出力する。
【００４４】
車両センサ１０は、車外の走行車両を検出するセンサであり、ミリ波レーダや、レーザレーダ、カメラなど、車両を検出する方式は特に問わない。なお、車両センサ１０では、自車両の前方の車両（対向車両）および後方の車両（後続車両）の位置および車速を検出する。検出結果の情報は、車両センサ１０から駐車判定部６Ａに出力される。
【００４５】
白線認識カメラ１１は、車外を撮影した画像から道路上の白線を画像認識する撮影部である。例えば、自車両の前方または後方の道路を撮影した画像を解析して、白線の有無や白線の位置を示す情報を画像認識する。この認識結果は、白線認識カメラ１１から駐車判定部６Ａに出力される。なお、駐車場内にも、駐車ガイド用の白線は存在するが、道路上のように連続的ではないので、白線認識カメラ１１は、認識した白線が所定の長さを超えるか否かを判定することで、道路上の白線とは区別して検出できる。
【００４６】
駐車判定部６Ａは、車両が駐車したか否かを判定する。例えば、車両の車両制御部から、車速、パーキングブレーキ、ギア位置などの情報を車両情報として入力し、当該車両情報に基づいて自車両が走行中であるか、駐車中であるかを判定する。
なお、車速および自車位置の情報はＩＴＳ通信用データにも含まれるので、駐車判定部６Ａは、ＩＴＳ通信用データを利用して駐車判定および駐車位置の特定を行ってもよい。この場合、図４と異なり、駐車判定部６Ａに対する、位置計測部５により計測された位置情報と外部の車両制御部からの車両情報の直接的な入力は省略できる。
【００４７】
また、駐車判定部６Ａは、車両の駐車場所を判定する。図４の例では、駐車判定部６Ａが、カーナビ機能部９による判別結果、車両センサ１０による周辺車両の検出結果および白線認識カメラ１１による白線の認識結果に基づいて、車両が道路上に駐車しているか、無線ＬＡＮが可能なあらかじめ指定した駐車場所に駐車しているかを判定する。
なお、駐車場所の判定は、カーナビ機能部９による判別結果、車両センサ１０による周辺車両の検出結果および白線認識カメラ１１による白線の認識結果の少なくとも１つであってもよい。例えば、カーナビ機能部９による判別結果のみから駐車場所を判定する場合は、車両センサ１０および白線認識カメラ１１を省略してもよい。
また、カーナビ機能部９が判別を行わず、車両センサ１０または白線認識カメラ１１を駐車場所の判定に利用する場合、利用する方のみを備える構成であってもよい。
さらに、駐車場所を示す情報を別途取得することができれば、カーナビ機能部９による判別結果、車両センサ１０による周辺車両の検出結果および白線認識カメラ１１による白線の認識結果以外の方法で駐車場所を判定してもよい。
【００４８】
Ｗｅｂブラウザ部１２は、無線ＬＡＮで通信している際にインターネットのブラウジングをする機能構成であり、表示部１４にインターネットのホームページなどを表示する。
ＩＴＳ安全支援処理部１３は、ＩＴＳ用無線で通信している際に、周辺車両との位置関係や信号情報などからドライバーの注意を喚起する必要があるか否かを判定し、注意喚起する場合、表示部１４に注意情報を表示する。
【００４９】
表示部１４は、ナビゲーション装置１Ａによる処理結果を表示する表示装置であって、液晶ディスプレイなどで実現される。例えば、表示部１４は、ドライバーを注意喚起する注意情報を表示する。また、車両が道路上に駐車しているときに、操作スイッチを用いて無線ＬＡＮに切り替える操作がなされると、警告情報が表示部１４に表示される。なお、この警告情報は、表示部１４の画面上に表示するだけでなく、図４で不図示のスピーカにより音声で提示してもよい。
【００５０】
電源装置７は、車両のイグニッションキーをオフしたときにも常時通電されている車両のバッテリ端子と、イグニッションキーをオンするかアクセサリ位置としたときに通電されているイグニッション（ＩＧ）端子とに接続されてナビゲーション装置１Ａの内部構成に電源を供給する。なお、イグニッションキーがオンからオフにされても、ナビゲーション装置１Ａには、一定期間、電源が供給されるようになっている。
【００５１】
タイマ８は、電源装置７に接続しており、車両が走行中でイグニッションキーがオンのときは、常にカウントダウンの初期値が設定され、車両が駐車してイグニッションキーをオフしたときからカウントダウンしてゼロになるまでの所定の時間を計時する。この所定の時間だけ、電源装置７はナビゲーション装置１Ａへの電源供給を継続する。このとき、タイマ８は、無線制御部４に対して、イグニッションキーがオンからオフになってから所定の時間内であることを通知する。
【００５２】
図４のように、ナビゲーション装置１Ａは、アンテナ２ａ，２ｂおよび無線部３ａ，３ｂからなる２つの無線通信系統を有しており、ＩＴＳ用無線および無線ＬＡＮを２チャンネルの通信を行うモードか、ＩＴＳ用無線と無線ＬＡＮをそれぞれ１チャンネルずつ通信するモードに対応している。もちろん、無線通信系統が１つの場合には、ＩＴＳ用無線および無線ＬＡＮのいずれかに切り替えて通信を行うことになる。
【００５３】
次に動作について説明する。
図５は、実施の形態２に係る車両の状態とこれに対応する通信切り替えの判断条件とを示す図であり、この図５に沿って各状態の車両における通信切り替えの詳細を述べる。
なお、図５に示す車両の状態に対応する通信切り替えの各判断条件は、無線制御部４Ａに設定されている。例えば、図５に示すデータが、無線制御部４Ａによって適宜読み出し可能なメモリ（図４において不図示）に記憶される。
【００５４】
無線制御部４Ａは、上記実施の形態１と同様に、駐車判定部６Ａによる駐車判定結果、駐車位置記憶部６ａに記憶される駐車位置、およびタイマ８の通知内容に基づいて、イグニッションキーのオンオフ状態、車速、ギア位置、ＧＰＳ位置（車両位置）およびタイマ８のカウント値を判断し、これらの情報から車両の状態およびこれに対応する判断条件を判別する。ここで、判断条件１は、図２と同様である。
一方、判断条件２は、駐車判定部６Ａによる駐車判定結果のうち、カーナビ機能部９による判別結果、車両センサ１０による周辺車両の検出結果および白線認識カメラ１１による白線の認識結果に関する条件である。
【００５５】
無線制御部４Ａは、判別した判断条件１，２に対応する無線通信に切り替えるよう無線部３ａ，３ｂを制御する（“無線の状態”参照）。
なお、図５に示す“番号”は、判断条件１，２の各条件に割り当てた識別番号であり、無線制御部４Ａは、当該番号に基づいて上記メモリから判断条件の内容を読み出し、現在の車両の状態に対応する条件を判別する。
【００５６】
番号１の状態は、車両が自宅の駐車場に駐車中であり、ＩＧキー（イグニッションキー）がオフなので、エンジンはかかっておらず、車内にドライバーなどの乗員がいない状態である。この状態では、車両のバッテリ上がりを防ぐため、ナビゲーション装置１Ａ、車両センサ１０および白線認識カメラ１１の電源はオフになっており、通信していない（“無線の状態”が無線オフ）。
【００５７】
番号２の状態は、車両が自宅の駐車場に駐車しているが、ドライバーなどの乗員が車内におり、カーナビゲーションの操作などを行っている状態である。すなわち、車載機器を操作するために、イグニッションキーがオンされてエンジンがかかっているか、イグニッションキーがアクセサリでナビゲーション装置１Ａの電源がオンしている。
このとき、カーナビ機能部９による駐車場所の判別結果も自宅駐車場であり、車両センサ１０が対向車両または後続車両を検出しておらず、白線認識カメラ１１が白線を認識していない。従って、駐車判定部６Ａは車両の駐車場所が自宅の駐車場であると判定する。
この状態では、無線制御部４Ａは、無線部３ａ，３ｂを制御して、アンテナ２ａ，２ｂで無線ＬＡＮを行うよう切り替える。なお、この場合、自宅駐車場は、無線ＬＡＮが可能なあらかじめ指定された駐車場所であるものとする。つまり、自宅駐車場では、ナビゲーション装置１Ａが、あらかじめ設定された無線ＬＡＮのアクセスポイントと接続する。
【００５８】
無線ＬＡＮの無線規格は、自宅のアクセスポイントに合わせたものである。このアクセスポイントが同時に２つ以上の通信チャンネルを利用できる場合には、ナビゲーション装置１Ａにおいても、２つの無線部３ａ，３ｂを合わせて利用する高速接続規格の無線ＬＡＮで通信することができる。例えば、自宅のパーソナルコンピュータに接続して、これに保存した音楽および動画のファイルを、これらの再生が可能なナビゲーション装置１Ａのメモリに高速にダウンロードできる。
【００５９】
番号３の状態は、番号２の状態から、車両が発進して車速がゼロではなくなった状態である。カーナビ機能部９によって駐車場所が道路上であると判別され、車両センサ１０が対向車両または後続車両を断続的に検出しており、白線認識カメラ１１が白線を認識している。従って、駐車判定部６Ａは車両の駐車場所が道路上であると判定する。
この状態では、車両が走行中となるため、無線制御部４Ａは、駐車時に行っていた無線ＬＡＮの通信が途中であっても、アンテナ２ａ，２ｂで行う無線通信を直ちにＩＴＳ用無線に切り替える（“無線の状態”がＩＴＳ用無線）。
このとき、車載通信装置１は、ＩＴＳ用無線によって自車両の位置、速度などの情報を周辺の車両に車車間通信するとともに、ＩＴＳ用無線による車車間通信で周辺の車両から位置、速度などの情報を受信し、路側の通信機器から信号情報などを受信する。
このように、無線ＬＡＮの通信が途中であってもＩＴＳ用無線に切り替えるので、ＩＴＳ安全支援のサービスを的確に受けることができる。
【００６０】
番号４の状態は、赤信号で車両が停止している状態など、車速はゼロであるが、ギア位置はパーキング以外のニュートラルまたはドライブ位置である。判断条件２では、カーナビ機能部９に停車場所が道路上であると判別され、車両センサ１０が対向車両または後続車両を断続的に検出しており、白線認識カメラ１１が白線を認識している。
従って、駐車判定部６Ａは車両の駐車場所が道路上であると判定する。この状態は、車両が道路上に停止している状態であることから、無線制御部４Ａは、アンテナ２ａ，２ｂにＩＴＳ用無線を続けさせる。
【００６１】
番号５の状態は、車両が道路上に駐車した直後の状態である。この状態では、イグニッションキーがオフされる直前までに、カーナビ機能部９によって駐車場所が道路上であると判別され、車両センサ１０が対向車両または後続車両を断続的に検出しており、白線認識カメラ１１が白線を認識している。従って、駐車判定部６Ａは、車両の駐車場所が道路上であると判定し、イグニッションキーがオフされる前に駐車場所が道路上であることが駐車位置記憶部６ａに記憶される。
イグニッションキーがオフされると、車内の電源が停止する。つまり、ＩＴＳ通信用の送信データをナビゲーション装置１Ａに与える外部機器（ナビゲーション装置１Ａ外の通信元の装置）の電源もオフされており、ＩＴＳ用無線の送信データが得られなくなっている。
【００６２】
一方、タイマ８がカウントダウン中であるので、イグニッションキーがオフされても、ナビゲーション装置１Ａには、車両のバッテリからの電源が電源装置７により供給されており、無線制御部４Ａが、アンテナ２ａ，２ｂを介したＩＴＳ用無線を継続させている。
このとき、無線制御部４Ａは、駐車位置記憶部６ａに記憶した駐車場所とタイマ８により計時された現在時刻を送信データとして、アンテナ２ａ，２ｂでＩＴＳ用無線を行う。
すなわち、ＩＴＳ用無線によって自車両が駐車した位置と車速がゼロであることを車車間通信で送信し、後続車両などの周辺車両に対して追突の可能性があるか否かを判断させる情報を提供する。なお、この場合、車内のバッテリの消耗を防ぐため、ＩＴＳ用無線の通信周期を０．１〜１０秒程度まで長くして間欠的に動作させる。これにより、車両が駐車してから所定時間だけ供給が継続される電源電力の消費を低減することができる。
【００６３】
番号６の状態は、番号５の状態からさらに時間が経過した状態である。タイマ８によるカウントダウンが終了して、タイマ８のカウント値がゼロになると、車内のバッテリ上がりを防ぐために、電源装置７が電源供給を自動で停止する。すなわち、ナビゲーション装置１Ａ、車両センサ１０および白線認識カメラ１１の電源もオフとなる。
【００６４】
番号７の状態は、車両が、外出先の駐車場など、無線ＬＡＮが可能な場所（ホットスポット）で無線通信を行う場合を示している。判断条件２では、カーナビ機能部９によって駐車場所が道路以外であると判別され、車両センサ１０が対向車両または後続車両を検出しておらず、白線認識カメラ１１が白線を認識していない。従って、駐車判定部６Ａは、車両の駐車場所があらかじめ指定された駐車場（自宅駐車場）以外の駐車場であると判定する。
【００６５】
この状態は、番号２の状態に近いが、車両が道路上に駐車している状態で無線ＬＡＮを行う場合も考えられるため、自動で無線ＬＡＮに切り替えず、操作スイッチを用いて手動操作で無線ＬＡＮに切り替える。
なお、図４に示すように、無線通信系統が２つ（２チャンネル）ある場合は、一方のチャンネルで無線ＬＡＮを行い、もう一方のチャンネルでＩＴＳ用無線を行うことにより、道路上の車車間通信を継続してもよい。また、カーナビ機能部９によって駐車場所が駐車場であると判別され、車両センサ１０が対向車両または後続車両を検出しておらず、白線認識カメラ１１が白線を認識していなければ、無線制御部４Ａが、無線部３ａ，３ｂを制御して、自動で無線ＬＡＮに切り替えてもよい。
【００６６】
カーナビ機能部９によって駐車場所が道路上であると判別され、車両センサ１０が対向車両または後続車両を検出しており、白線認識カメラ１１が白線を認識していれば、駐車判定部６Ａは、車両の駐車場所が道路上であると判定する。
このとき、操作スイッチを用いて手動で無線ＬＡＮに切り替えられた場合、すなわち操作部４ａにより無線ＬＡＮへの切り替え指示があると、無線制御部４Ａは、安全支援処理に必要なＩＴＳ用無線を停止すれば、車両の安全に影響があることを示す警告情報を表示部１４に表示させる。この警告情報を提示してから、乗員が通信切り替え操作を行うと、これに応じて無線ＬＡＮに切り替わる。これにより、不用意に安全支援サービスを受けられなくなることを防止できる。
【００６７】
以上のように、この実施の形態２によれば、ＩＴＳ用無線と無線ＬＡＮに対応するアンテナ２ａ，２ｂと、ＩＴＳ用無線の周波数と無線ＬＡＮの周波数でアンテナ２ａ，２ｂで無線通信を行う周波数を切り替える無線部３ａ，３ｂと、車両が駐車したか否かおよびその駐車場所を判定する駐車判定部６Ａと、駐車判定部６Ａにより車両が駐車したと判定されたときの車両位置を駐車位置として記憶する駐車位置記憶部６ａと、車両位置を計測する位置計測部５と、位置計測部５により計測された自車位置および地図データに基づいてナビゲーション処理を行うカーナビ機能部９と、無線部３ａ，３ｂを制御して、車両が走行している場合は、アンテナ２ａ，２ｂでＩＴＳ用無線を行い、駐車判定部６Ａにより車両が道路上に駐車していると判定された場合、アンテナ２ａ，２ｂでＩＴＳ用無線を継続し、無線ＬＡＮが可能なあらかじめ指定した駐車場所に当該車両が駐車していると判定されると、無線ＬＡＮに切り替える無線制御部４Ａとを備える。
このように構成することで、ＩＴＳ用無線と無線ＬＡＮとを適切に切り替えて利用することができるナビゲーション装置を提供できる。これにより、道路上での停車または駐車の際には、ＩＴＳ用無線が不用意に停止されることがなく、車車間通信を使った追突などの衝突防止システムが有効に働くため、事故の発生確率を低減することができる。
【００６８】
また、この実施の形態２によれば、カーナビ機能部９が、駐車位置記憶部６ａに記憶された駐車位置を地図データと照合することにより、車両の駐車場所を判別し、駐車判定部６Ａが、カーナビ機能部９による判別結果から、車両が道路上に駐車しているか、無線ＬＡＮが可能なあらかじめ指定した駐車場所に駐車しているかを判定するので、車両の駐車場所を的確に判定することができる。
【００６９】
さらに、この実施の形態２によれば、車外を撮影した画像から道路上の白線を画像認識する白線認識カメラ１１を備え、駐車判定部６Ａが、白線認識カメラ１１により道路上の白線が画像認識された場合、車両が道路上に駐車していると判定するので、車両の駐車場所を的確に判定することができる。
【００７０】
さらに、この実施の形態２によれば、車外の走行車両を検出する車両センサ１０を備え、駐車判定部６Ａが、車両センサ１０により道路上の走行車両が検出された場合、車両が道路上に駐車していると判定するので、車両の駐車場所を的確に判定することができる。
【００７１】
さらに、この実施の形態２によれば、車両の乗員に情報を提示する表示装置１４などの提示部と、無線制御部４Ａに対して、アンテナ２ａ，２ｂでＩＴＳ用無線を行うか無線ＬＡＮを行うかの切り替えを指示する操作部４ａとを備え、無線制御部４Ａが、カーナビ機能部８により当該車両が道路上に駐車したと判定された場合に、操作部４ａで無線ＬＡＮへの切り替え指示があると、表示部１４により警告情報を乗員に表示させる。このようにすることにより、不用意に安全支援サービスを受けられなくなることを防止できる。
【００７２】
さらに、この実施の形態２によれば、無線制御部４Ａが、アンテナ２ａ，２ｂで無線ＬＡＮの途中であっても、車両の走行が開始されるとＩＴＳ用無線に切り替えるので、ＩＴＳ安全支援のサービスを的確に受けることができる。
【００７３】
上記実施の形態２では、この発明に係るナビゲーション装置１Ａを、車載用のナビゲーション装置に適用した場合を示したが、車載用のみならず、携帯電話端末または携帯情報端末（ＰＤＡ；Ｐｅｒｓｏｎａｌ  Ｄｉｇｉｔａｌ  Ａｓｓｉｓｔａｎｃｅ）に適用してもよい。また、車両、鉄道、船舶または航空機などの移動体に、人が携帯して持ち込んで使用されるＰＮＤ（Ｐｏｒｔａｂｌｅ  Ｎａｖｉｇａｔｉｏｎ  Ｄｅｖｉｃｅ）などに適用してもかまわない。
【００７４】
なお、本発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００７５】
この発明に係る車載通信装置は、車両専用の周波数帯域を使用する車両用の無線通信と汎用の無線通信を適切に切り替えて利用できることから、ＩＴＳの安全支援機能を有した車載機器の通信装置に好適である。
【符号の説明】
【００７６】
１  車載通信装置、１Ａ  ナビゲーション装置、２ａ，２ｂ  アンテナ、３ａ，３ｂ  無線部、４，４Ａ  無線制御部、４ａ  操作部、５  位置計測部、６，６Ａ  駐車判定部、６ａ  駐車位置記憶部、７  電源装置、８  タイマ、９  カーナビ機能部、１０  車両センサ、１１  白線認識カメラ、１２  Ｗｅｂブラウザ部、１３  ＩＴＳ安全支援処理部、１４  表示部、１００，１０２，１０３  車両、１０１  自宅、１００ａ，１０１ａ，１０２ａ，１０３ａ，１０４ａ  無線通信エリア、１０４  道路。
【図１】
2013124904.tif 000003
【図２】
2013124904.tif 000004
【図３】
2013124904.tif 000005
【図４】
2013124904.tif 000006
【図５】
2013124904.tif 000007
【手続補正書】
【提出日】平成26年10月28日(2014.10.28)
【手続補正１】
【補正対象書類名】明細書
【補正対象項目名】００１１
【補正方法】変更
【補正の内容】
【００１１】
この発明に係る車載通信装置は、車両専用の周波数帯域を使用する車両用の無線通信と汎用の無線通信に対応するアンテナと、車両用の無線通信の周波数と汎用の無線通信の周波数でアンテナで無線通信を行う周波数を切り替える無線部と、車両が駐車したか否かを判定する駐車判定部と、駐車判定部により車両が駐車したと判定されたときの車両位置を駐車位置として記憶する記憶部と、無線部を制御して、車両が走行している場合、アンテナで車両用の無線通信を行い、車両が駐車している場合は、記憶部に記憶された駐車位置の中から、現在の車両位置に当てはまる駐車位置を求めて、この駐車位置が道路上である場合、アンテナで車両用の無線通信を継続し、汎用の無線通信が可能な場所である場合は、汎用の無線通信に切り替える無線制御部とを備える。
【手続補正２】
【補正対象書類名】特許請求の範囲
【補正対象項目名】全文
【補正方法】変更
【補正の内容】
【特許請求の範囲】
【請求項１】
車両専用の周波数帯域を使用する車両用の無線通信と汎用の無線通信に対応するアンテナと、
前記車両用の無線通信の周波数と前記汎用の無線通信の周波数で前記アンテナで無線通信を行う周波数を切り替える無線部と、
車両が駐車したか否かを判定する駐車判定部と、
前記駐車判定部により前記車両が駐車したと判定されたときの車両位置を駐車位置として記憶する記憶部と、
前記無線部を制御して、前記車両が走行している場合、前記アンテナで車両用の無線通信を行い、前記車両が駐車している場合は、前記記憶部に記憶された駐車位置の中から、現在の車両位置に当てはまる駐車位置を求めて、この駐車位置が道路上である場合、前記アンテナで前記車両用の無線通信を行い、道路上以外で前記汎用の無線通信が可能な場所である場合は、前記汎用の無線通信に切り替える無線制御部とを備える車載通信装置。
【請求項２】
前記車両用の無線通信は、ＩＴＳ（Ｉｎｔｅｌｌｉｇｅｎｔ  Ｔｒａｎｓｐｏｒｔ  Ｓｙｓｔｅｍｓ）用の無線通信であり、
前記汎用の無線通信は、無線ＬＡＮ（Ｌｏｃａｌ  Ａｒｅａ  Ｎｅｔｗｏｒｋ）であることを特徴とする請求項１記載の車載通信装置。
【請求項３】
前記アンテナと前記無線部の組を複数備え、
前記無線制御部は、前記車両が駐車している場合であっても、前記汎用の無線通信が可能で、かつ道路上に駐車している場合には、各無線部を制御して前記アンテナで前記車両用の無線通信と前記汎用の無線通信を同時に行い、前記車両が道路上以外で、かつ複数のチャンネルを同時に利用できる汎用の無線通信が可能な場所に駐車した場合、前記各無線部で前記チャンネルを利用して当該汎用の無線通信を行うことを特徴とする請求項１記載の車載通信装置。
【請求項４】
前記車両が駐車してからの経過時間を計時するタイマを備え、
前記無線制御部は、前記タイマにより計時される経過時間が所定時間に達するまでは、前記無線部を制御して所定の周期で周辺車両と前記車両用の無線通信を行い、現在の車両位置を含む車両情報を周辺車両との間でやり取りすることを特徴とする請求項１記載の車載通信装置。
【請求項５】
前記無線制御部は、自装置外で、自車内にある自車両用の無線通信送信データを作成する装置の電源がオフされたことにより、当該装置から前記車両用の無線通信送信データが得られなくなった場合に、前記記憶部に記憶した駐車位置を現在の車両位置とし、当該現在の車両位置と前記タイマによって計時された現在時刻とを無線通信送信データとして自ら作成し、自車の車両情報として、前記アンテナで前記車両用の無線通信を行うことを特徴とする請求項４記載の車載通信装置。
【請求項６】
車両専用の周波数帯域を使用する車両用の無線通信と汎用の無線通信に対応するアンテナと、
前記車両用の無線通信の周波数と前記汎用の無線通信の周波数で前記アンテナで無線通信を行う周波数を切り替える無線部と、
車両が駐車したか否かおよび前記車両が駐車した判定されたときの車両位置がどのような場所であるかを判定する駐車判定部と、
前記駐車判定部により前記車両が駐車したと判定されたときの車両位置を駐車位置として記憶する記憶部と、
前記車両位置を計測する位置計測部と、
前記位置計測部により計測された自車位置および地図データに基づいてナビゲーション処理を行うナビ機能部と、
前記無線部を制御して、前記車両が走行している場合は、前記アンテナで車両用の無線通信を行い、前記駐車判定部により前記車両が道路上に駐車していると判定された場合、前記アンテナで前記車両用の無線通信を継続し、前記汎用の無線通信が可能なあらかじめ指定された場所に当該車両が駐車していると判定されると、前記汎用の無線通信に切り替える無線制御部とを備えるナビゲーション装置。
【請求項７】
前記車両用の無線通信は、ＩＴＳ（Ｉｎｔｅｌｌｉｇｅｎｔ  Ｔｒａｎｓｐｏｒｔ  Ｓｙｓｔｅｍｓ）用の無線通信であり、
前記汎用の無線通信は、無線ＬＡＮ（Ｌｏｃａｌ  Ａｒｅａ  Ｎｅｔｗｏｒｋ）であることを特徴とする請求項６記載のナビゲーション装置。
【請求項８】
前記ナビ機能部は、前記記憶部に記憶された駐車位置を前記地図データと照合することにより、前記車両の駐車位置に対応する場所を判別し、
前記駐車判定部は、前記ナビ機能部による判別結果から、前記車両が道路上に駐車しているか、前記汎用の無線通信が可能なあらかじめ指定された場所に駐車しているかを判定することを特徴とする請求項６記載のナビゲーション装置。
【請求項９】
車外を撮影した画像から道路上の白線を画像認識する撮影部を備え、
前記駐車判定部は、前記撮影部により道路上の白線が画像認識された場合、前記車両が道路上に駐車していると判定することを特徴とする請求項６記載のナビゲーション装置。
【請求項１０】
車外の走行車両を検出する車両センサを備え、
前記駐車判定部は、前記車両センサにより道路上の走行車両が検出された場合に、前記車両が道路上に駐車していると判定することを特徴とする請求項６記載のナビゲーション装置。
【請求項１１】
前記車両の乗員に情報を提示する提示部と、
前記無線制御部に対して、前記アンテナで車両用の無線通信を行うか汎用の無線通信を行うかの切り替えを指示する操作部とを備え、
前記無線制御部は、前記駐車判定部により当該車両が道路上に駐車していると判定された場合に、前記操作部により前記汎用の無線通信への切り替え指示があると、前記提示部を介して警告情報を前記乗員に提示することを特徴とする請求項６記載のナビゲーション装置。
【請求項１２】
前記無線制御部は、前記アンテナで前記汎用の無線通信の途中であっても、前記車両の走行が開始されると、前記車両用の無線通信に切り替えることを特徴とする請求項６記載のナビゲーション装置。
【国際調査報告】
2013124904.tif 000008
2013124904.tif 000009
2013124904.tif 000010
2013124904.tif 000011